(57)【要約】      （修正有）【課題】  軽油に水類を混合させ油類と水類が長期間にわたり分離しないように超微粒子化の状態で混合使用する、熱効率、燃焼効率、エネルギー効率をそれぞれ向上させ、燃料油の経済単価を削減させ、一方完全燃焼から排気ガスによる有害物質の排出を削減する方式の油類乳化燃料油の総合製造装置を提供する。【解決手段】軽油に水類を７：３（基本割合）の割合に混合し、高圧噴射機２を使用して混合油を霧状にタンク３内に噴霧した上で、微細な混合油を高速遠心装置４に注入して、微細混合油を二次的に本格的に混合させ、さらにスパイラル管式超音波装置５の移送を経て、最終の超音波発生タンク装置６内に微細化された混合油を注入し、完全な超微粒子に混合されたミクロ爆発状態にした乳化エマルジョン燃料を生産する、油類乳化燃料油の総合製造装置８。【選択図】図１
2007291305.tif 000002
【特許請求の範囲】
【請求項１】
金属製の立方体の中に混合自動調節機を設置してその自動混合機を使用して、軽油類と水類を７：３（基本割合）の割合に混合して、その混合機から高速ノズル機を使用して高速にてタンク内に噴霧して、軽油類と水類（リズパワーと名称する混合を促進させる効果があり、さらに混合された微粒子化を安定させるに必要な添加剤を含んだもの）を微粒子状態の霧状に混合した上で、微粒子の液体となった混合液を高速回転からなる遠心分離機に注入して、微粒子化した混合液体を高速回転にて更に混合させ、遠心分離機から微粒子状態になったその混合液体を、超音波を発するスパイラル管を経由させて超音波を浴びながら超微粒子化運動を起こしながら超音波タンク装置へ流入して、最終の超音波により混合液が超微粒子化となり混合が長期に安定するエマルジョン燃料に変化し完成することとなり、最終の製品検査装置である色別認識装置を経て、エマルジョン燃料製品が完成する油類乳化燃料油の総合製造装置である。
【請求項２】
高速ノズルを使用して、軽油類と水類を霧状に混合さす上記請求項１の油類乳化燃料油の総合製造装置である。
【請求項３】
遠心分離機を使用して、軽油類と水類を更に微粒子化した混合液となる上記請求項１の油類乳化燃料油の総合製造装置である。
【請求項４】
超音波発生スパイラス管を使用して、軽油類と水類を超微粒子化状態に混合さす上記請求項１の油類乳化燃料油の総合製造装置である。
【請求項５】
超音波発生タンクを使用して、軽油類と水類を超微粒子化状態に混合さす上記請求項１の油類乳化燃料油の総合製造装置である。
【請求項６】
色別認識装置を使用して、軽油類と水類が超微粒子状態に混合され完成されたエマルジョン燃料であることを確認する上記請求項１の油類乳化燃料油の総合製造装置である。
【発明の詳細な説明】
【技術分野】
【０００１】  本発明は、軽油類に水類を添加して軽油類が重油から精製された時点で持つ成分とエネルギーを大きく変更することなく、従来の軽油類の単価より安く製造ができる油類乳化燃料油の総合製造装置に関するもの。
【背景技術】
【０００２】  現在、原油をはじめ原油から精製される軽油及び灯油は、世界情勢とりわけ主要産油国の中近東及び東南アジアにおいて、宗教からくる思想・生活習慣の相違を原因とする国家間の紛争、テロリストによる破壊活動等の悪影響及び世界的経済成長からくるエネルギー需要の増加等を主たる要因として原油は高騰の一途を辿っている。そこで、特に先進各国は代替エネルギーの開発研究を実施しているがやはりエネルギーの主力である原油等の高騰が世界の関心の的となり、その高騰を抑制することに国家は大きな努力を払いながらその対応に苦慮している現状である。
又、原油等の燃焼によりそこから発生する排気ガスが人々の生活を脅かすと共に、大気圏の成分バランスを壊し、将来の地球の生態系をも壊そうとしている現状がある。【０００３】  上記問題を解決するため、従来より単価の安い経済的な軽油類、又、排気ガスが出ない燃焼装置等の開発を世界が期待している。【０００４】  これらの問題を解決するため、エマルジョン燃料を製造する総合的技術を結集して油類乳化燃料油の総合製造装置の開発が期待されている。
【発明の開示】
【発明が解決しようとする課題】
【０００５】  上記問題を解決するため、本発明の油類乳化燃料油の総合製造装置は、軽油類と水類を混合させ油類と水類が長期間にわたり分離しないように超微粒子化の状態で混合して使用することで、上記問題解決することを目的とする。【０００６】  上記目的を達成するために本発明の油類乳化燃料油の総合製造装置は、油類と水類（リズパワーと名称する混合を促進させる効果があり、さらに混合された微粒子化を安定させるに必要な添加剤を含んだもの）を基本的に７：３の割合で自動混合機を使用して混合させ、混合を安定させるために超高速噴霧器（高速ノズル機）を使用して霧状態にて微粒化して混合させ、更にその混合液を高速遠心分離機の使用により微粒子化させその二次的に微粒子化された混合液を、更に超音波発生装置を付けたスパイラル管を微粒子化させながら最終の長期間、安定さすために超音波発生装置タンク内に移送させ超微粒子化をさせて、エマルジョン燃料である油類乳化燃料油を製造するための油類乳化燃料油の総合製造装置である。【０００７】  上記のエマルジョン燃料油である油類乳化燃料油は、ミクロン単位で超微粒子化され、その微粒子化により油滴が界面活性に効果がある状態となり、内燃機関を使用してボイラーによる燃焼エネルギーとして高熱を発生させ、又、ディゼル機関を使用してエンジンを駆動させるときに、界面活性において各超微粒子化した油滴がミクロ爆発を次々と起こさせ、内燃機関内全体の連続した爆発をさせる油類乳化燃料油の総合製造装置である。【０００８】  上記の界面活性化のミクロ爆発により、油滴は完全燃焼しそのエネルギーは完全燃焼からエネルギー効率が高くなりその結果、リッター単価は安くなる油類乳化燃料油の総合製造装置である。【０００９】  上記の界面活性化のミクロ爆発により、完全燃焼する結果排気ガスの排出が極端に減少し、有害物質の排出を抑制し地球環境にやさしいエネルギー燃料油となる油類乳化燃料油の総合製造装置である。
【発明の効果】
【００１０】  上記の詳述したとおり、本発明に係る油類乳化燃料油の総合製造装置は、上記のような構造であり、以下の効果を持つ。
１  水類（前期記載のリズパワーを含んだ添加剤）混合により相当の廉価な軽油類等が製造できる。
２  エネルギー効率は水類を混合しても完全燃焼によりその効率は変わらない。
３  完全燃焼により排気ガス等の発生が極端に少なくなる。
４  軽油類の精製等の設備に比べ小額で建設できる。
【発明を実施するための最良の形態】
【００１１】  以下に本発明に係る油類乳化燃料油の総合製造装置を図面に示す実施例に従って詳細に説明する。【００１２】  Ｔ１の軽油タンクとＴ２の水類タンクから▲１▼の自動混合比率機器へ移送し、その配分が７（油類）：３（水類）になるように注入し、そこから▲２▼の高速噴霧ノズルを経由して、混合液が霧状に噴霧される。【００１３】  噴霧され霧状になったものが▲３▼のろ過機内に注入され、集合して液体となりろ過されて▲４▼の高速回転をする遠心分離機に注入される。【００１４】  高速回転された液体は、超微粒子になり▲５▼の超音波スパイラル管を経由して更に超微粒子化されながら▲６▼の超音波発生タンク装置に注入される。超音波を浴びることにより完全に超微粒子化され完成された乳化燃料の液体は、▲７▼の完成品を見極める色別自動視認装置を経由し、Ｔ３の完成品タンクへ貯蔵される。
【図面の簡単な説明】
【００１５】
【図１】  ▲１▼は、軽油類と水類（リズパワーと名称する混合を促進させる効果があり、さらに混合された微粒子化を安定させるに必要な添加剤を含んだもの）が正確な混合比率に混合されるように混合を調整する装置、▲２▼は、超高速にて混合液を霧状に噴霧し一次的に混合するノズル式高圧噴霧器、▲３▼は、噴霧された霧状のものを一度に集め混合液をろ過して液状に保管するためのタンク、▲４▼は、高速回転を利用し一次的に混合された混合液を高速にて遠心分離機により二次的に混合し、▲５▼は、超音波発生装置を付けたスパイラル状になった管に二次混合液を注入し、超音波を浴びることにより超音波による混合運動をしながら通過させ、▲６▼は、超音波タンクにて超音波を本格的に二次混合液に与えて最終の超微粒子化した長期に安定する超音波乳化タンク装置であり、▲７▼は、完全に乳化燃料となった完成度を色別で視認もできる検査機能を兼ねた色別認識装置である。▲８▼は、上記記述の装置の全てを含んだ金属製からなる油類乳化燃料油の総合製造装置である。
【符号の説明】
【００１６】▲１▼  混合自動調節器
▲２▼  噴射機（微細高圧噴射機−ノズル）
▲３▼  残渣除去装置（タンク）
▲４▼  高速回転遠心分離機
▲５▼  乳化効果上昇装置付移送管（超音波発生移送スパイラル管）
▲６▼  超音波乳化タンク装置機
▲７▼  色別認識装置
▲８▼  油類乳化燃料油の総合製造装置
Ｔ１  軽油タンク
Ｔ２  水類タンク
Ｔ３  乳化燃料油完成貯蔵タンク
【図１】
2007291305.tif 000003